(57)【要約】      （修正有）【課題】乳房撮影定位装置を用いてステレオ撮影を行う際、生検針とその保持部材、スポット撮影用の小サイズ圧迫板等を配置したまま被検体の乳房を撮影する場合、ＡＥＣによる照射線量制御が適正に作動しない事態が生じても照射線量を好適に制御する。【解決手段】マンモグラフィ装置２０は、放射線源３０から照射される照射線量を互いに独立に制御する第１及び第２の照射線量制御部を備え、第２の照射線量制御部は、放射線源３０の回転角度が基準回転角度に設定され被検体２７の乳房２８の放射線画像を撮影する際における撮影条件を記憶する撮影条件記憶部９８と、放射線源３０が前記基準回転角度以外に設定される毎に撮影条件記憶部９８に記憶された前記基準照射条件を参照し放射線源３０の照射線量上限値を算出する上限値算出部１００と、算出された上限値を超えないように照射条件を設定する撮影条件設定部１０２とを備える。【選択図】図４
2010234003.tif 000002
【特許請求の範囲】
【請求項１】
被検体の乳房に放射線を照射し放射線画像を撮影する撮影部を有し、撮影された前記放射線画像から前記被検体の乳房の生検部位を選択し、該生検部位に生検針を刺入して組織の一部を採取する乳房撮影定位装置であって、
前記撮影部は、
回転軸を中心として回転可能に支持された、前記被検体の乳房に放射線を照射する放射線源と、
前記被検体の乳房を透過した前記放射線の線量を検出し、該放射線の線量に基づいて前記放射線源から照射される照射線量を制御する第１の照射線量制御部と、
前記放射線源から照射される照射線量を前記第１の照射線量制御部と互いに独立に制御する第２の照射線量制御部と、を備え、
第２の照射線量制御部は、
前記放射線源の回転角度が基準回転角度に設定され、前記被検体の乳房の放射線画像を撮影する際における基準照射条件を記憶する記憶部と、
前記放射線源の回転角度が前記基準回転角度以外の値に設定される毎に、前記記憶部に記憶された前記基準照射条件を参照し前記放射線源の照射線量上限値を算出する上限値算出部と、
前記上限値算出部で算出された前記照射線量上限値を超えないように照射条件を設定する設定部と、を備える
ことを特徴とする乳房撮影定位装置。
【請求項２】
請求項１記載の乳房撮影定位装置において、
前記照射条件は、前記放射線源の管電圧、ターゲット、フィルタ、管電流、照射時間及び焦点サイズである
ことを特徴とする乳房撮影定位装置。
【請求項３】
請求項１又は２に記載の乳房撮影定位装置において、
前記設定部は、前記照射条件のうち管電流及び照射時間を可変に設定できる
ことを特徴とする乳房撮影定位装置。
【請求項４】
請求項１乃至３のいずれか１項に記載の乳房撮影定位装置において、
前記基準回転角度は、正面撮影の際の前記放射線源の回転角度とする
ことを特徴とする乳房撮影定位装置。
【請求項５】
請求項１乃至３のいずれか１項に記載の乳房撮影定位装置において、
前記乳房撮影定位装置は、生検又は検診のいずれにも使用できる乳房撮影定位装置であり、
前記基準照射条件は、前記生検の前に行われた前記検診に係る照射条件である
ことを特徴とする乳房撮影定位装置。
【請求項６】
請求項１乃至３のいずれか１項に記載の乳房撮影定位装置において、
前記乳房撮影定位装置は、生検又は検診のいずれにも使用できる乳房撮影定位装置であり、
前記記憶部は、前記生検及び前記検診に係る照射条件を記憶し、
前記上限値算出部は、前記生検又は前記検診に係る照射条件のうちいずれか一方の照射条件を前記基準照射条件として選択し、前記照射線量上限値を算出する
ことを特徴とする乳房撮影定位装置。
【請求項７】
請求項１乃至６のいずれか１項に記載の乳房撮影定位装置において、
前記上限値算出部は、前記基準照射条件から算出される前記放射線の照射線量に任意の倍率を乗じて前記照射線量上限値を算出する
ことを特徴とする乳房撮影定位装置。
【発明の詳細な説明】
【技術分野】
【０００１】
本発明は、検査対象物である乳房（マンモ）の生検部位に生検針を刺入して組織の一部を採取する乳房撮影定位装置に関する。
【背景技術】
【０００２】
医療分野においては、病気の診断等のため、病変部位の組織を採取して精密な検査を行うことを目的とした乳房撮影定位装置が開発されている。
【０００３】
特許文献１では、被検体の乳房の放射線透過画像を取得するマンモグラフィ装置に対して乳房撮影定位装置を組み込むように構成され、撮影台と圧迫板との間にマンモをポジショニングし、その状態で乳房を２方向から撮影することでステレオ画像情報を得るシステムが提案されている。これにより、前記ステレオ画像情報に基づいて生検部位の位置情報を取得し、該位置情報に従って生検針を生検部位まで刺入し、生検部位の組織の一部を採取することができる。
【０００４】
また、かかる乳房撮影定位装置を用いて放射線透過画像を得る場合、被検体の照射線量を最小にしながらも良好な放射線画像品質を確保する必要がある。従って、被検体の関心領域において適切な放射線画像情報を取得するためには、該関心領域に所望の量の放射線が照射されるように照射制御条件を設定する必要がある。そこで、被検体を透過した照射線量の検出結果に基づき、放射線源から照射される照射線量を制御する自動露出制御（ＡＥＣ、Ａｕｔｏｍａｔｉｃ  Ｅｘｐｏｓｕｒｅ  Ｃｏｎｔｒｏｌ）システムを備える放射線画像撮影装置が提案されている。
【０００５】
特許文献２では、圧迫板の下面にタッチパネルを設けておき、該タッチパネルに加わる圧力をモニタすることで、乳房が配置されている位置範囲を検出し、その位置範囲内にあるＡＥＣセンサのみを選択する装置が提案されている。これにより、自動的に乳房の配置領域を検出して最適な位置に配設されたＡＥＣセンサを選択することができる。
【先行技術文献】
【特許文献】
【０００６】
【特許文献１】特開平１０−２０１７４９号公報
【特許文献２】特開平８−２３８２３７号公報
【発明の概要】
【発明が解決しようとする課題】
【０００７】
ところで、生検のワークフローが進行し、乳房撮影定位装置を用いてステレオ撮影を行う際、放射線源と放射線検出器との間に、生検針とその保持部材、スポット撮影用の小サイズ圧迫板等を配置したまま被検体の乳房を撮影する場合がある。この場合、放射線が被検体の乳房を透過する位置範囲内にあるＡＥＣセンサの位置と、生検針等が備える金属部品の形状が放射線受像器に写り込む位置とが重なるときは、該ＡＥＣセンサは被検体の乳房を透過するはずの本来の照射線量を適切に検出できない。
【０００８】
このように、何らかの理由により単一の照射線量制御システムが適正に作動しない事態が生じると、特許文献２に係る装置によっても好適な自動露出制御が実現できない可能性がある。
【０００９】
また、毎回のステレオ撮影が適切な照射線量となるように、撮影の都度技師が照射線量の確認を行うこともできるが、作業の煩に堪えない。
【００１０】
本発明は、前記の課題を解決するためになされたものであり、乳房撮影定位装置を用いてステレオ撮影を行う際、放射線源と放射線検出器との間に、生検針とその保持部材、スポット撮影用の小サイズ圧迫板等を配置したまま被検体の乳房を撮影する場合、ＡＥＣによる照射線量制御が適正に作動しない事態が生じても照射線量の好適な制御ができる乳房撮影定位装置を提供する。
【課題を解決するための手段】
【００１１】
本発明の請求項１に記載の発明に係る乳房撮影定位装置は、被検体の乳房に放射線を照射し放射線画像を撮影する撮影部を有し、撮影された前記放射線画像から前記被検体の乳房の生検部位を選択し、該生検部位に生検針を刺入して組織の一部を採取する乳房撮影定位装置であって、前記撮影部は、回転軸を中心として回転可能に支持された、前記被検体の乳房に放射線を照射する放射線源と、前記被検体の乳房を透過した前記放射線の線量を検出し、該放射線の線量に基づいて前記放射線源から照射される照射線量を制御する第１の照射線量制御部と、前記放射線源から照射される照射線量を前記第１の照射線量制御部と互いに独立に制御する第２の照射線量制御部と、を備え、第２の照射線量制御部は、前記放射線源の回転角度が基準回転角度に設定され、前記被検体の乳房の放射線画像を撮影する基準照射条件を記憶する記憶部と、前記放射線源の回転角度が前記基準回転角度以外の値に設定される毎に、前記記憶部に記憶された前記基準照射条件を参照し前記放射線源の照射線量上限値を算出する上限値算出部と、前記上限値算出部で算出された前記照射線量上限値を超えないように照射条件を設定する設定部と、を備えることを特徴とする。
【００１２】
請求項２に記載の発明は、請求項１記載の乳房撮影定位装置において、前記照射条件は、前記放射線源の管電圧、ターゲット、フィルタ、管電流、照射時間及び焦点サイズであることを特徴とする。
【００１３】
請求項３に記載の発明は、請求項１又は２に記載の乳房撮影定位装置において、前記設定部は、前記照射条件のうち管電流及び照射時間を可変に設定できることを特徴とする。
【００１４】
請求項４に記載の発明は、請求項１乃至３のいずれか１項に記載の乳房撮影定位装置において、前記基準回転角度は、正面撮影の際の前記放射線源の回転角度とすることを特徴とする。
【００１５】
請求項５に記載の発明は、請求項１乃至３のいずれか１項に記載の乳房撮影定位装置において、前記乳房撮影定位装置は、生検又は検診のいずれにも使用できる乳房撮影定位装置であり、前記基準照射条件は、前記生検の前に行われた前記検診に係る照射条件であることを特徴とする。
【００１６】
請求項６に記載の発明は、請求項１乃至３のいずれか１項に記載の乳房撮影定位装置において、前記乳房撮影定位装置は、生検又は検診のいずれにも使用できる乳房撮影定位装置であり、前記記憶部は、前記生検及び前記検診に係る照射条件を記憶し、前記上限値算出部は、前記生検及び前記検診に係る照射条件のうちいずれか一方の照射条件を前記基準照射条件として選択し、前記放射線源の照射線量上限値を算出することを特徴とする。
【００１７】
請求項７に記載の発明は、請求項１乃至６のいずれか１項に記載の乳房撮影定位装置において、前記上限値算出部は、前記基準照射条件から算出される前記放射線の照射線量に任意の倍率を乗じて前記照射線量上限値を算出することを特徴とする。
【発明の効果】
【００１８】
本発明によれば、被検体の乳房を透過した放射線の線量を検出し、該放射線の線量に基づいて放射線源から照射される照射線量を制御する第１の照射線量制御部と、前記放射線源から照射される照射線量を前記第１の照射線量制御部と互いに独立に制御する第２の照射線量制御部とを設けたので、生検のワークフローが進行し、乳房撮影定位装置を用いてステレオ撮影を行う際、放射線源と放射線検出器との間に、生検針とその保持部材、スポット撮影用の小サイズ圧迫板等を配置したまま被検体の乳房を撮影する場合、ＡＥＣによる照射線量制御が適正に作動しない事態が生じても照射線量の好適な制御ができる乳房撮影定位装置を提供することができる。
【図面の簡単な説明】
【００１９】
【図１】本実施形態のマンモグラフィ装置の斜視説明図である。
【図２】図１に示すマンモグラフィ装置における撮影台の内部構成を示す要部説明図である。
【図３】図２に示す撮影台の内部構成を示す一部省略斜視図である。
【図４】図１に示すマンモグラフィ装置を構成する撮影部ブロック図である。
【図５】図１に示すマンモグラフィ装置を構成するバイオプシハンド部の駆動制御回路ブロック図である。
【図６】本実施形態のマンモグラフィ装置の動作フローチャートである。
【図７】図７Ａは、ターゲット及びフィルタをＭｏとして得られるＸ線スペクトルである。図７Ｂは、ターゲットをＭｏ、フィルタをＲｈとして得られるＸ線スペクトルである。図７Ｃは、ターゲット及びフィルタをＲｈとして得られるＸ線スペクトルである。
【図８】本実施形態のマンモグラフィ装置を構成する第２の照射線量制御部に係る設定画面の一例を示す図である。
【図９】本実施形態のマンモグラフィ装置を構成する第２の照射線量制御部に係る設定画面の一例を示す図である。
【図１０】本実施形態のマンモグラフィ装置に係るステレオ撮影の説明図である。
【図１１】本実施形態のマンモグラフィ装置に係る警告表示の一例を示す図である。
【発明を実施するための形態】
【００２０】
図１は、本発明に係る乳房撮影定位装置の実施形態のマンモグラフィ装置２０の斜視説明図である。
【００２１】
マンモグラフィ装置２０は、立設状態に設置される基台２２と、基台２２の略中央部に配設された回転軸２４に固定されるアーム部材２６と、被検体２７の乳房２８（検査対象物、図２）に対して放射線Ｘｒａｙを照射する放射線源３０（図５）を収納し、アーム部材２６の一端部に固定される放射線源収納部３２と、乳房２８を透過した放射線Ｘｒａｙを検出する固体検出器６０（放射線検出器、図２、図３）が収納され、アーム部材２６の他端部に固定される撮影台３６と、撮影台３６に対して乳房２８を圧迫して保持する圧迫板３８と、圧迫板３８に装着され乳房２８の生検部位から必要な組織を採取するバイオプシハンド部４０とを備える。なお、基台２２には、被検体２７の撮影部位、撮影方向等の撮影情報、被検体２７のＩＤ情報等を表示するとともに、必要に応じてこれらの情報を設定可能な表示操作部４２が配設される。
【００２２】
放射線源収納部３２及び撮影台３６を連結するアーム部材２６は、回転軸２４を中心として回転することで、被検体２７の乳房２８に対する撮影方向が調整可能に構成される。また、放射線源収納部３２は、ヒンジ部３５を介してアーム部材２６に連結されており、矢印θ方向に撮影台３６とは独立に回転可能に構成される。圧迫板３８は、アーム部材２６に連結された状態で放射線源収納部３２及び撮影台３６間に配設されており、矢印Ｚ方向に変位可能に構成される。
【００２３】
圧迫板３８には、バイオプシハンド部４０を用いた組織採取のための開口部４４が形成される。バイオプシハンド部４０は、圧迫板３８に固定されたポスト４６と、ポスト４６に一端部が軸支され、圧迫板３８の面に沿って回転可能な第１アーム４８と、第１アーム４８の他端部に一端部が軸支され、圧迫板３８の面に沿って回転可能な第２アーム５０とを備える。第２アーム５０の他端部には、矢印Ｚ方向に移動可能な生検針５２が装着される。生検針５２は、図２に示すように、乳房２８の生検部位５４の組織を吸引して採取する採取部５６を有する。生検針５２の採取部５６は、バイオプシハンド部４０の第１アーム４８及び第２アーム５０を圧迫板３８の面に沿ったＸ−Ｙ平面内で移動させるとともに、生検針５２を矢印Ｚ方向に移動させることにより、生検部位５４の近傍に配置することができる。
【００２４】
図２は、マンモグラフィ装置２０における撮影台３６の内部構成を示す要部説明図であり、撮影台３６及び圧迫板３８間に被検体２７の撮影部位である乳房２８を配置した状態を示す。なお、参照符号２９は、被検体２７の胸壁を示す。
【００２５】
撮影台３６の内部には、放射線源収納部３２に内蔵された放射線源３０から照射された放射線Ｘｒａｙに基づいて撮像された放射線画像情報を蓄積し、電気信号として出力する固体検出器６０と、固体検出器６０に蓄積記録された放射線画像情報を読み取るために、固体検出器６０に読取光を照射する読取光源部６２とが収納される。さらに、撮影台３６の内部には、放射線Ｘｒａｙの照射制御条件を決定するため、乳房２８及び固体検出器６０を透過した放射線Ｘｒａｙの照射線量を検出する複数の照射線量情報検出器（以下、ＡＥＣセンサ６４という）と、固体検出器６０に蓄積されている不要電荷を除去するために、固体検出器６０に消去光を照射する消去光源部６６とが収納される。
【００２６】
固体検出器６０は、直接変換方式且つ光読出方式の放射線固体検出器であって、乳房２８を透過した放射線Ｘｒａｙに基づく放射線画像情報を静電潜像として蓄積し、読取光源部６２からの読取光により走査されることで、静電潜像に応じた電流を発生する。
【００２７】
固体検出器６０は、例えば、特開２００４−１５４４０９号公報に開示された構造のものを用いることができ、具体的には、ガラス基板上に形成され、放射線Ｘｒａｙを透過する第１導電層と、放射線Ｘｒａｙが照射されることで電荷を発生する記録用光導電層と、第１導電層に帯電される潜像極性電荷に対して略絶縁体として作用する一方、潜像極性電荷と逆極性の輸送極性電荷に対して略導電体として作用する電荷輸送層と、読取光が照射されることで電荷を発生して導電性を呈する読取用光導電層と、放射線Ｘｒａｙを透過する第２導電層とを順に積層して構成される。記録用光導電層と電荷輸送層との界面には、蓄電部が形成される。
【００２８】
第１導電層及び第２導電層は、それぞれ電極を構成する。第１導電層の電極は、二次元状の平坦な平板電極とされ、第２導電層の電極は、記録される放射線画像情報を画像信号として検出するための所定の画素ピッチからなる多数の線状電極として構成される。線状電極の配列方向が主走査方向、線状電極の延在する方向が副走査方向に対応する。
【００２９】
読取光源部６２は、例えば、複数のＬＥＤチップを一列に並べて構成されるライン光源と、ライン光源から出力された読取光を固体検出器６０上に線状に照射させる光学系とを有し、固体検出器６０の第２導電層である線状電極の延在方向と直交する方向にＬＥＤチップが配列されたライン光源を前記線状電極の延在方向（図３の矢印Ｃ方向）に移動させることで固体検出器６０の全面を露光走査する。
【００３０】
消去光源部６６は、図３に示すように、短時間で発光／消光し、且つ、残光の非常に小さいＬＥＤチップ６８をパネル７０上に多数配列して構成される。なお、パネル７０は、固体検出器６０と平行に配置された状態で撮影台３６に収納される。
【００３１】
ＡＥＣセンサ６４は、図２及び図３に示すように、センサ基板７２上に複数（本実施形態の場合、１６個）配設されており、消去光源部６６を構成するパネル７０に形成された孔部７３から固体検出器６０方向を指向している。なお、各ＡＥＣセンサ６４は、該孔部７３からＡＥＣセンサ６４側に向けて、放射線源３０からの放射線Ｘｒａｙ方向に沿って延出される角形の筒状部材（不図示）で囲繞した状態で配置される。
【００３２】
このようなＡＥＣセンサ６４は、撮影台３６上に乳房２８が位置決め固定された状態で、該乳房２８に対応するようにしてセンサ基板７２上に配列される（図３参照）。
【００３３】
図４は、マンモグラフィ装置２０を構成する撮影部ブロック図である。
【００３４】
マンモグラフィ装置２０の制御回路は、放射線源収納部３２に収納され、照射スイッチ７４の操作によって放射線Ｘｒａｙを放出する放射線源３０と、撮影に要する各種駆動を指示可能な表示操作部４２と、指示された駆動に基づいて放射線源３０の位置や回転角度、撮影台３６の位置等を駆動制御する駆動制御部７６と、複数のＡＥＣセンサ６４によって検出した放射線Ｘｒａｙの照射線量に重み付け係数を乗じる重み付け係数付与部７８と、前記重み付け係数が付与された各ＡＥＣセンサ６４の検出値に基づき、乳房２８の乳腺位置（関心領域）近傍と推定される少なくとも１以上のＡＥＣセンサ６４を選択する測定位置選択部８０と、前記少なくとも１以上のＡＥＣセンサ６４によって検出した放射線Ｘｒａｙの単位時間当たりに照射される照射線量に基づき、放射線源３０による放射線Ｘｒａｙの適切な照射時間を算出する照射時間算出部８２と、供給された前記照射時間を照射制御条件として放射線源３０の線量を制御する線源制御部８４とを備える。このように、第１の照射線量制御部８６は、ＡＥＣセンサ６４と、センサ基板７２と、重み付け係数付与部７８と、測定位置選択部８０と、照射時間算出部８２とを備える。
【００３５】
また、線源制御部８４は、高電圧を発生させる高電圧発生器８８と、被検体２７に応じて調整した管電圧を印加する管電圧調整器９０とを備える。放射線源３０は、高電圧が印加されることで電子線を出力する陰極９２と、前記電子線が入射することで放射線Ｘｒａｙを出力するターゲット９４と、ターゲット９４から出力された放射線のスペクトルを調整するフィルタ９６とを備える。
【００３６】
さらに、マンモグラフィ装置２０の制御回路は、放射線源３０の回転角度を指示可能な表示操作部４２と、前記回転角度が基準回転角度に設定され被検体２７の乳房２８の放射線画像を撮影する際の基準の撮影条件を記憶する撮影条件記憶部（記憶部）９８と、前記回転角度が基準回転角度以外の値に設定される毎に、供給された基準の撮影条件を参照し放射線源３０の最大ｍＡｓ値（照射線量上限値）を決定する上限値算出部１００と、前記最大ｍＡｓ値を超えないように撮影条件を設定する撮影条件設定部（設定部）１０２とを備える。このように、第２の照射線量制御部１０４は、表示操作部４２と、撮影条件記憶部９８と、上限値算出部１００と、撮影条件設定部１０２とを備える。
【００３７】
さらに、マンモグラフィ装置２０の制御回路は、固体検出器６０によって検出された放射線Ｘｒａｙの線量に基づいて放射線画像情報を取得し、放射線画像を形成する放射線画像形成部１０６と、前記放射線画像を表示する表示部１０８とを備える。このように、固体検出器６０は、放射線源３０から照射される放射線Ｘｒａｙを検出し放射線画像を生成する放射線画像生成手段として機能する。なお、表示部１０８には、測定位置選択部８０によって選択された少なくとも１以上のＡＥＣセンサ６４や特定された乳腺位置を示す位置情報を表す画像が放射線画像に重畳して表示される。
【００３８】
以上のように、本実施形態に係るマンモグラフィ装置２０は、線源制御部８４に照射時間を供給することで放射線源３０の自動露出制御を行う第１の照射線量制御部８６と、線源制御部８４に最大ｍＡｓ値を超えないような撮影条件を供給することで放射線源３０の照射線量リミット制御を行う第２の照射線量制御部１０４とが互いに独立に制御を行うシステムとして構成される。
【００３９】
図５は、マンモグラフィ装置２０を構成するバイオプシハンド部４０の駆動制御回路ブロック図である。
【００４０】
マンモグラフィ装置２０は、管電流、管電圧、放射線源３０に設定されるターゲット９４やフィルタ９６の種類、放射線Ｘｒａｙの照射線量、照射時間等の撮影条件を設定する撮影条件設定部１０２と、これらの撮影条件に従って放射線源３０を駆動制御する線源制御部８４と、バイオプシハンド部４０を介して生検針５２を所定位置に移動させる生検針駆動制御部１１０と、圧迫板３８を矢印Ｚ方向に移動させる圧迫板駆動制御部１１２と、乳房２８を透過した放射線Ｘｒａｙを検出して画像情報に変換する固体検出器６０を制御する検出器制御部１１４と、固体検出器６０により変換された画像情報を記憶する画像情報記憶部１１６と、画像情報を処理することで生検部位５４を自動検出するＣＡＤ（Ｃｏｍｐｕｔｅｒ  Ａｉｄｅｄ  Ｄｉａｇｎｏｓｉｓ）処理部１１８と、自動検出された生検部位５４を含む乳房２８の放射線画像を表示する表示部１０８とを備える。
【００４１】
また、マンモグラフィ装置２０は、表示部１０８に表示された放射線画像から、マウス等のポインティングデバイスを用いて生検部位５４を選択する生検部位選択部１２０と、取得した画像情報に対する選択された生検部位５４の位置情報を算出する生検部位位置情報算出部１２２と、生検針５２の移動可能範囲に対する乳房２８の必要な移動量、あるいは、生検部位５４に対する生検針５２の移動量を算出する移動量算出部１２４とを備える。
【００４２】
本実施形態のマンモグラフィ装置２０は、基本的には以上のように構成されるものであり、次に、そのワークフロー及び装置動作につき、図６に示すフローチャートに従って説明する。
【００４３】
［ステップＳ１］
先ず、技師は、表示操作部４２又は撮影条件設定部１０２を用いて、被検体２７の年齢、性別、体型、被検体識別番号等に係る被検体情報、放射線画像情報の撮影条件、撮影方法、バイオプシハンド部４０の移動を制限した際の移動制限量、生検針５２の長さ等の処理条件を設定する。また、技師は、表示操作部４２又は撮影条件設定部１０２に表示される前記処理条件の設定値を確認することができる。
【００４４】
撮影条件設定部１０２により設定された処理条件のうち、放射線源３０の管電流、管電圧、放射線Ｘの照射線量、照射時間等の撮影条件は、線源制御部８４に設定される。また、ＳＩＤ、ステレオ角度等の撮影方法に係る処理条件は駆動制御部７６に供給され、所定の駆動動作を行う。さらに、バイオプシハンド部４０の移動制限量や生検針５２の長さに係る処理条件は、生検針駆動制御部１１０に設定される。
【００４５】
ここで、放射線Ｘｒａｙの線量、線質及び鮮鋭性を決定する因子である照射条件、具体的には、放射線源３０の管電圧、ターゲット９４、フィルタ９６、管電流、照射時間、焦点サイズについて詳細に説明する。
【００４６】
線量の目安としては、ｍＡｓ値（放射線源３０の管電流［ｍＡ］と照射時間［ｓｅｃ］の積）が一般的に用いられる。
【００４７】
線質については、管電圧を調整することにより、放射線エネルギーの分布を調整することができる。管電圧が高くなると、発生する放射線Ｘｒａｙの波長が短くなることにより透過力が増し、吸収係数が大きいものも透過する傾向がある。例えば、マンモグラフィ装置２０においては、乳房による放射線Ｘｒａｙの僅かな吸収の差異をできるだけ高い解像度及びコントラストで表示することが要求されるため、低い放射線エネルギーを被検体２７に照射して放射線画像を取得する。
【００４８】
ターゲット９４としては、固体検出器６０の感度特性等に応じて、Ｍｏ、Ｒｈ、Ｗ等の材料が選択して使用される。また、フィルタ９６としては、ターゲット９４との組み合わせで特性Ｘ線を選択的に取り出すことのできるＭｏ、Ｒｈ、Ａｌ等の材料が選択して使用される。
【００４９】
特に、Ｍｏのフィルタ９６は、Ｋα、Ｋβの特性Ｘ線を選択的に取り出す一方、２０ｋｅＶ以上の高エネルギーのＸ線を除去し、放射線画像のコントラストを高めることができる。
【００５０】
図７は、ターゲット９４とフィルタ９６の各組み合わせにおけるＸ線スペクトル分布を示す。なお、横軸はＸ線エネルギー（単位はＫｅＶ）、縦軸は相対光子数をそれぞれ表す。図７Ａは、ターゲット９４及びフィルタ９６をＭｏとして得られるＸ線スペクトル、図７Ｂは、ターゲット９４をＭｏ、フィルタ９６をＲｈとして得られるＸ線スペクトル、図７Ｃは、ターゲット９４及びフィルタ９６をＲｈとして得られるＸ線スペクトルである。このように、ターゲット９４及びフィルタ９６の組み合わせによって、Ｘ線スペクトル分布が変化する。
【００５１】
また、焦点サイズが小さいほど放射線画像の解像度が向上し、鮮鋭性も向上するため、マンモグラフィ装置２０には小焦点サイズの放射線源３０がよく用いられる。
【００５２】
このように、被検体２７の撮影部位や固体検出器６０の感度特性に応じて、好適な放射線画像を得るために最適な照射条件が選択される。
【００５３】
［ステップＳ２］
次いで、技師は、指定された撮影方法に従い、被検体２７の乳房２８のポジショニングを行う。本実施例では、技師はスカウト撮影を行うためのポジショニングを行う。なお、スカウト撮影とは、放射線源収納部３２を回転させることなく、放射線Ｘｒａｙの光軸が撮影台３６に対して法線方向となるように設定して行う撮影である。
【００５４】
図１に示すように乳房２８の撮影を行う場合には、アーム部材２６を回転軸２４を中心に所定角度回転させ（以下、当該角度を「ステレオ角度」という。）、所定の角度位置に設定する。さらに、マンモグラフィ装置２０に対して被検体２７の右側の乳房２８を位置決めする。この場合、右側の乳房２８を撮影台３６の載置面上に載置した後、圧迫板３８を押し下げ、撮影台３６及び圧迫板３８間に乳房２８を保持させる（図２参照）。すなわち、右側の乳房２８の外側（右腕側）を撮影台３６に当てた状態で、内側（左の乳房２８側）から圧迫板３８を押圧して保持する。
【００５５】
［ステップＳ３］
次いで、技師は、乳房２８に照射する放射線Ｘｒａｙの照射線量を少なく設定することで、注目部位である乳腺領域での照射制御条件を決定する照射（以下、「プレ照射」という）を行う。技師が照射スイッチ７４を押下すると乳房２８に放射線Ｘｒａｙが照射され、その後自動的に照射制御条件がメモリ（不図示）に記憶される。これにより、技師はマンモグラフィ装置２０の内部処理を意識することなく、好適な照射線量制御（自動露出制御及び照射線量リミット制御）を行うために必要な設定を行うことができる。
【００５６】
以下、ステップＳ３に対応するマンモグラフィ装置２０の動作を説明する。
【００５７】
先ず、第１の照射線量制御部８６の動作について説明する。各ＡＥＣセンサ６４は、圧迫板３８、乳房２８及び固体検出器６０を透過した放射線Ｘｒａｙの照射線量を検出し、測定位置選択部８０に供給する。測定位置選択部８０は、各ＡＥＣセンサ６４によって所定のサンプリングタイム毎に検出された放射線Ｘｒａｙの照射線量から単位時間当たりの照射線量を算出し、その照射線量に基づいて乳腺位置近傍のＡＥＣセンサ６４を選択する。すなわち、測定位置選択部８０は、センサ基板７２上に配列された複数のＡＥＣセンサ６４のうち、最小の照射線量を検出するものを選択して乳腺位置を推定することにより、所定の照射線量測定位置として乳線密度が最も大きい位置を乳腺位置（関心領域）として検出することができる。
【００５８】
ここで、各ＡＥＣセンサ６４の検出値をそのまま使用するのではなく、各ＡＥＣセンサ６４の感度特性、撮影位置条件、乳房のポジショニング態様等に応じた、重み付け係数を、各ＡＥＣセンサ６４の検出値に乗ずることができる。
【００５９】
重み付け係数付与部７８は、該各ＡＥＣセンサ６４が有するセンサ感度ばらつき等を均一に補正する重み付け係数を、各ＡＥＣセンサ６４の検出値に乗じた値を測定位置選択部８０に供給することができる。かかる場合は、センサ感度及び撮影位置情報の差異の影響を低減させた、少なくとも１以上の好適なＡＥＣセンサ６４の選択を行うことができる。
【００６０】
さらに、重み付け係数付与部７８は、各ＡＥＣセンサ６４のうち乳房２８の周辺部よりも中央部側に設置され、胸壁２９側よりも乳頭側に設置されたＡＥＣセンサ６４を、測定位置選択部８０にて優先的に選択できるように設定された重み付け係数を、各ＡＥＣセンサ６４の検出値に更に乗じた値を測定位置選択部８０に供給することも好ましい態様である。かかる場合は、乳腺領域よりも放射線吸収係数が大きい傾向がある胸筋に重なるＡＥＣセンサ６４の設置位置が乳腺位置（関心領域）として誤選択されることが有効に防止される。
【００６１】
以上のようにして、測定位置選択部８０で乳腺位置近傍と推定される少なくとも１以上のＡＥＣセンサ６４が選択されると、照射時間算出部８２は、該乳腺位置において前記少なくとも１以上のＡＥＣセンサ６４が検出した単位時間当たりの照射線量に基づき、乳房２８の乳腺領域の適正な放射線画像情報を得るために必要な照射線量を照射する照射時間を照射制御条件として算出する。
【００６２】
次に、第２の照射線量制御部１０４の動作について説明する。撮影条件記憶部９８は、プレ照射が完了した後に表示操作部４２等から取得した撮影条件を基準の撮影条件として記憶する。例えば、撮影条件として、放射線源３０の管電圧、ターゲット９４、フィルタ９６、管電流、照射時間、焦点サイズ、回転角度が用いられる。
【００６３】
［ステップＳ４］
次いで、技師は、後述のステレオ撮影（ステップＳ５）の際における照射線量上限値（最大ｍＡｓ値）を設定する。本実施例では、技師は、自身の嗜好に応じた照射線量上限値を撮影前に予め設定することができる。これにより、技師は、撮影中にマンモグラフィ装置２０の内部処理を意識することなく、好適な照射線量リミット制御を行うために必要な設定を行うことができる。
【００６４】
図８及び図９は、技師が最大ｍＡｓ値を設定するための設定画面の一例を示す図である。図８及び図９に沿って、照射線量のリミット設定についての具体例を説明する。なお、第１のウィンドウ１３０及び第２のウィンドウ１４８の画像は表示操作部４２又は撮影条件設定部１０２に表示させてもよいし、他の表示部（不図示）を介して表示することもできる。
【００６５】
先ず、技師は、第１のウィンドウ１３０に画面を遷移させ、照射線量のリミット設定を開始する。登録済みである／未登録である照射線量のリミット設定のうち１つをラジオボタンスイッチ１３２で択一的に選択する。照射線量のリミット設定は、技師が識別し易い名前を付した登録名を表示する欄１３４、設定された管電圧の値を表示する欄１３６、選択されたターゲット９４とフィルタ９６の組み合わせを表示する欄１３８、選択された焦点サイズを表示する欄１４０から構成される。なお、欄１４２に示すマスター設定は、技師によって登録された管電圧、ターゲット９４、フィルタ９６、焦点サイズの組み合わせのいずれにも該当しない撮影条件において使用される照射線量のリミット設定である。
【００６６】
技師は、照射線量のリミット設定を続行するときにタッチパネル等のＧＵＩで［次へ］ボタン１４４を押下し、照射線量のリミット設定を中止するときに［戻る］ボタン１４６を押下する。
【００６７】
［次へ］ボタン１４４が押下された後、第１のウィンドウ１３０の画面から第２のウィンドウ１４８の画面に遷移する。技師は、第２のウィンドウ１４８の画面を介して最大ｍＡｓ値を設定／変更することができる。
【００６８】
設定欄１５０では、技師が識別し易い名前を付した登録名がテキストボックスで設定／変更される。また、設定欄１５２では、照射線量のリミット設定の基準となる参照データの属性（生検データを優先的に使用するか、検診データを優先的に使用するか）がラジオボタンスイッチで設定／変更される。さらに、設定欄１５４では、照射量倍率の上限値が設定欄１５６、設定欄１５８により設定／変更される。なお、設定欄１５６では、スカウト撮影時の照射量倍率（計算上は最大値となるｍＡｓ値に対して、技師の嗜好により設定できる乗数）が８０〜１００％の範囲内の値を５％刻みでプルダウンスイッチで設定／変更され、設定欄１５８では、ステレオ撮影時の照射量倍率（前記スカウト撮影に対するステレオ撮影時の照射線量の比であって、技師の嗜好により設定できる乗数）が１．０〜２．０倍の範囲内の値を０．２５倍刻みでプルダウンスイッチで設定／変更される。さらに、設定欄１６０、設定欄１６２、設定欄１６４、及び設定欄１６６では、管電圧、ターゲット９４、フィルタ９６、及び焦点サイズがそれぞれ設定／変更される。
【００６９】
技師は、照射線量のリミット設定を保存するときはタッチパネル等のＧＵＩで［保存］ボタン１６８を押下し、照射線量のリミット設定を中断するときは［戻る］ボタン１７０を押下する。
【００７０】
技師が［保存］ボタン１６８を押すと、基準撮影条件の各種パラメータが撮影条件記憶部９８に自動的に記憶される。
【００７１】
なお、同一の被検体２７に対し、本ワークフローで示される生検の前に検診が行われていた場合、該検診での撮影条件を基準の撮影条件に設定（設定欄１５２における「検診を優先」に設定）しておけば、その後のステレオ撮影（ステップＳ５）の前の最大ｍＡｓ値を決定するためのスカウト撮影を省略することができる。
【００７２】
さらに、被検体２７毎に最大ｍＡｓ値を記憶できるようにすれば、各被検体２７に応じた照射線量の設定を行うことができるため好ましい。
【００７３】
このようにして、注目部位である乳腺領域での照射制御条件を決定するとともに（第１の照射線量制御）、生検での照射線量の上限値を算出するために用いる基準照射条件を決定することができる（第２の照射線量制御）。
【００７４】
［ステップＳ５］
次いで、技師は、放射線源３０を駆動し、乳房２８のステレオ撮影を行う。この場合、ヒンジ部３５（図１）を中心として放射線源収納部３２を移動させ、図１０に示すように、放射線源３０をＡ位置に配置して、被検体２７の乳房２８を撮影台３６と圧迫板３８とで保持した状態で撮影を行う。技師が照射スイッチ７４を押下すると撮影を開始し、照射時間算出部８２により算出された照射時間に基づいて放射線Ｘｒａｙが照射された後、自動的に乳房２８に係る放射線画像が形成される。同様に、図１０に示すように、放射線源３０をＢ位置に配置して、撮影を開始すると、自動的に乳房２８に係る放射線画像が形成される。
【００７５】
以下、ステップＳ５に対応するマンモグラフィ装置２０の動作を説明する。
【００７６】
放射線源３０をＡ位置及びＢ位置に配置し、放射線Ｘｒａｙを照射することにより、乳房２８を透過した放射線Ｘｒａｙが撮影台３６の固体検出器６０によって放射線の線量として検出される。検出器制御部１１４は、固体検出器６０を制御して、Ａ位置及びＢ位置における乳房２８の前記放射線の線量から放射線画像情報を取得し、該放射線画像情報は放射線画像形成部１０６に供給される。
【００７７】
先ず、第１の照射線量制御部８６の動作については、前述（ステップＳ３）のプレ照射の場合と同様であるため省略する。ここで、各ＡＥＣセンサ６４の検出値を放射線画像形成部１０６に供給し、後述（ステップＳ６）のＣＡＤ処理を含めた画像処理に係るパラメータとして利用できる。さらに、各ＡＥＣセンサ６４の検出値や照射時間等の種々の撮影情報を画像と併せて表示し、あるいはデータベース化することができる。これにより、技師又は医師は、このデータベース化された患者の被曝情報等の履歴を以後の診断・治療等に活用することができる。
【００７８】
次に、第２の照射線量制御部１０４の動作について説明する。上限値算出部１００は、撮影条件記憶部９８から供給される基準の撮影条件を参照しつつ最大ｍＡｓ値を算出する。ここで、上限値算出部１００は、表示操作部４２から取得した撮影条件及び前記基準の撮影条件について放射線源３０の管電圧、ターゲット９４、フィルタ９６、焦点サイズが完全に一致する場合における、前記基準の撮影条件の回転角度（基準回転角度）、管電流、照射時間を参照する。
【００７９】
続いて、基準回転角度と前記取得した撮影条件の回転角度とが一致するか否かを判別する。両者が一致する場合は、基準の撮影条件におけるｍＡｓ値に設定欄１５６で設定した倍率を乗じた値を最大ｍＡｓ値とする。また、両者が一致しない場合は、基準の撮影条件におけるｍＡｓ値に設定欄１５６で設定した倍率と、設定欄１５８で設定した倍率とを乗じた値を最大ｍＡｓ値とする。
【００８０】
本実施例では、上限値算出部１００は、放射線源３０の回転角度によらずステレオ撮影時の最大ｍＡｓ値は一定値として算出するが、この変形例として、放射線源３０の回転角度の大きさに応じて最大ｍＡｓ値を変化させる算出方法も好ましい態様である。
【００８１】
最大ｍＡｓ値が供給された撮影条件設定部１０２は、技師により設定された撮影条件が、前記最大ｍＡｓ値を超えるような撮影条件であるか否かを判別する。設定された撮影条件が最大ｍＡｓ値を超えないと判別された場合は、照射線量のリミット制限を受けることなく、撮影を継続する。
【００８２】
一方、設定された撮影条件が最大ｍＡｓ値を超えると判別された場合、撮影条件設定部１０２は、技師に対しその旨の警告を発する。なお、該警告は、有形／無形にかかわらず、技師の五感に直接訴えることができる手段であれば態様は問わない。例えば、ブザー等による警告音、画面表示部による警告表示等が好ましい。
【００８３】
線源制御部８４は、前記警告を発している間、放射線源３０の照射停止の状態から照射ロックを掛ける。該照射ロックが掛かっているときは、照射スイッチ７４を押下しても放射線源３０から放射線Ｘｒａｙが照射されないようにする。
【００８４】
図１１は、本実施形態のマンモグラフィ装置２０の警告表示の一例を示す図である。本実施例によると、撮影条件設定部１０２は画像表示機能を備えており、該画像表示機能によって技師に対して注意喚起をする警告ウィンドウ１７２の画像を表示している。技師は、警告ウィンドウ１７２に記載したメッセージを読んだ上で、警告ウィンドウ１７２に記載した確認事項に従って作業確認を行う。
【００８５】
図８及び図９の設定例（登録名：Ｂｉｏｐｓｙ１）では、管電圧２８ｋＶ、ターゲット９４とフィルタ９６の組み合わせがＭｏ／Ｍｏ、焦点サイズが１００μｍである。例えば、撮影条件記憶部９８に記憶されている最大ｍＡｓ値は５０ｍＡｓであるとする。この場合、ステレオ撮影時の最大ｍＡｓ値は５０×１．０×１．５＝７５ｍＡｓであるから、その値が表示欄１７４に表示される。また、技師により設定された撮影条件から算出されるｍＡｓ値（図１１では、８０ｍＡｓ）も併せて表示欄１７４に表示される。技師がタッチパネル等のＧＵＩで［ＯＫ］ボタン１７６を押下すると、警告ウィンドウ１７２が消滅するとともに、線源制御部８４に係る照射ロックが解除され、その後技師は撮影を続行することができる。
【００８６】
［ステップＳ６］
次いで、技師は、マウスやタッチパネル等による必要なＧＵＩ操作を行うことで、放射線画像形成部１０６においてＣＡＤ処理が行われる。
【００８７】
図１０で示すように、Ａ位置及びＢ位置に放射線源３０を回転させて撮影を行った後、これらの２枚の放射線画像情報を一旦画像情報記憶部１１６に記憶させ、ステレオ画像を作成して表示部１０８に表示する。ＣＡＤ処理部１１８は、画像情報記憶部１１６に記憶された画像情報に対して定量的な画像処理を施すことにより、異常候補部位を抽出する。
【００８８】
［ステップＳ７］
次いで、技師は、マウスやタッチパネル等による必要なＧＵＩ操作を行うことで、表示部１０８に画像表示が行われる。
【００８９】
ＣＡＤ処理部１１８によって抽出された異常候補部位を、乳房２８の放射線画像とともに表示部１０８に表示させる。表示部１０８には、乳房２８の放射線画像と、ＣＡＤ処理によって抽出された異常候補部位を示すマーカと、圧迫板３８の開口部４４の画像とを併せて表示させることが好ましい。
【００９０】
［ステップＳ８］
次いで、技師は、生検部位選択部１２０を用いて表示部１０８に表示されているステレオ画像から生検部位５４を指示する。なお、生検部位選択部１２０は、マウスやタッチパネル等のＧＵＩにより構成することができる。
【００９１】
この後、技師による生検部位搾取開始の操作に基づいて、以下のステップＳ９〜Ｓ１１に対応するマンモグラフィ装置２０の動作が自動的に行われる。
【００９２】
［ステップＳ９］
次いで、生検部位位置情報算出の動作が行われる（ステップＳ９）。生検部位位置情報算出部１２２は、技師によって指示された生検部位５４と、画像情報記憶部１１６に記憶されている２枚の放射線画像情報とに基づき、生検部位５４の位置情報を算出する。なお、この位置情報は、生検部位５４の三次元位置情報である。生検部位位置情報算出部１２２によって算出された生検部位５４の位置情報は、移動量算出部１２４に供給される。
【００９３】
その後、移動量算出部１２４は、生検部位５４の位置情報を用いて、生検針５２を生検部位５４に移動させる移動量を算出する。この場合、生検針５２の移動量は、例えば、開口部４４の中心の座標を基準として、Ｘ方向移動量、Ｙ方向移動量として生検針駆動制御部１１０に設定される。移動量算出部１２４によって算出された生検針５２の移動量は、生検針駆動制御部１１０に供給される。
【００９４】
［ステップＳ１０］
次いで、生検針移動の動作が行われる（ステップＳ１０）。生検針駆動制御部１１０は、移動量算出部１２４から供給された生検針５２の移動量に従い、生検針５２を駆動制御して所定の位置まで移動させる。バイオプシハンド部４０は、生検部位５４のＸ方向及びＹ方向の位置情報に従い、第１アーム４８及び第２アーム５０をＸ−Ｙ平面内で移動させ、生検針５２を生検部位５４の上部に位置決めする。次いで、生検針５２をＺ方向に移動させ、圧迫板３８に形成した開口部４４を介して生検針５２を乳房２８に刺入する動作を開始する。
【００９５】
生検針５２のＺ方向の位置情報は、生検部位位置情報算出部１２２によって逐次算出され、生検針駆動制御部１１０に供給される。前記生検針５２のＺ方向の位置情報及び既に設定されたバイオプシハンド部４０の移動制限量に従い、生検針駆動制御部１１０により生検針５２をＺ方向に移動させ、生検針５２の採取部５６（図２）を生検部位５４の近傍に到達させる。この場合、生検針５２のＸ−Ｙ平面内での移動が制限されているため、刺入状態において、生検針５２が不用意にＸ方向又はＹ方向に大きく移動することがなく、乳房２８の組織を損傷してしまう事態を回避することができる。
【００９６】
［ステップＳ１１］
最後に、生検部位採取の動作が行われる（ステップＳ１１）。生検針５２の採取部５６が生検部位５４の近傍に到達すると、生検針５２による吸引処理が開始され、生検部位５４が採取される。その後、生検針５２をＺ方向に移動させることにより、生検針５２が乳房２８から抜き取られ、作業が終了する。
【００９７】
以上説明したように、上述した実施形態に係るマンモグラフィ装置２０は、被検体２７の乳房２８に放射線Ｘｒａｙを照射し放射線画像を撮影する撮影部を有し、撮影された前記放射線画像から被検体２７の乳房２８の生検部位５４を選択し、生検部位５４に生検針５２を刺入して組織の一部を採取するマンモグラフィ装置２０であって、前記撮影部は、回転軸（ヒンジ部３５）を中心として回転可能に支持された、被検体２７の乳房２８に放射線Ｘｒａｙを照射する放射線源３０と、被検体２７の乳房２８を透過した放射線Ｘｒａｙの線量を検出し、放射線Ｘｒａｙの線量に基づいて放射線源３０から照射される照射線量を制御する第１の照射線量制御部８６と、放射線源３０から照射される照射線量を第１の照射線量制御部８６と互いに独立に制御する第２の照射線量制御部１０４と、を備え、第２の照射線量制御部１０４は、放射線源３０の回転角度が基準回転角度に設定され被検体２７の乳房２８の放射線画像を撮影する際における基準照射条件を記憶する撮影条件記憶部９８と、放射線源３０の回転角度が前記基準回転角度以外の値に設定される毎に、撮影条件記憶部９８に記憶された前記基準照射条件を参照し放射線源３０の照射線量上限値を算出する上限値算出部１００と、上限値算出部１００で算出された前記照射線量上限値を超えないように照射条件を設定する撮影条件設定部と、が配置される構成を有する。
【００９８】
このように、第１の照射線量制御部（自動露出制御）と第２の照射線量制御部（照射線量リミット制御）とを独立に制御可能にしたので、乳房撮影定位装置を用いてステレオ撮影を行う際、放射線源と放射線検出器との間に、生検針とその保持部材、スポット撮影用の小サイズ圧迫板等を配置したまま被検体の乳房を撮影する場合、ＡＥＣによる照射線量制御が適正に作動しない事態が生じても照射線量の好適な制御ができる。
【００９９】
なお、この発明は、上述した実施形態に限定されるものではなく、この発明の主旨を逸脱しない範囲で自由に変更できることは勿論である。
【０１００】
例えば、上記実施形態で説明したＡＥＣセンサの配設数は、本発明が適用される装置や方法に応じて適宜変更であることは言うまでもなく、重み付け係数も勿論変更可能である。
【０１０１】
また、上記実施形態では、固体検出器６０を用いた場合について説明したが、固体検出器６０に代替して、蓄積性蛍光体パネルを撮影台３６に対して着脱自在に構成される放射線画像撮影装置を用いるようにしてもよい。
【０１０２】
また、上記実施形態では、固体検出器６０に蓄積された静電潜像が、読取光源部６２からの読取光により走査されることで電流を発生させる、いわゆる光走査方式について例示して説明したが、前記のような読取光源部６２を用いることなくＴＦＴ方式により静電潜像の電荷を読出可能な構成にしてもよい。さらに、前記のような読取光源部６２を用いることなく直接変換して画像を生成可能な放射線固体検出器を用いることもできる。
【０１０３】
また、上記実施形態では、画像センサである固体検出器６０と、照射線量情報検出器であるＡＥＣセンサ６４とが別体の場合について例示して説明したが、これに限らず、ＴＦＴ方式等の場合は、画像センサの一部を照射線量情報検出器として利用することができ、この場合は照射線量情報検出器を画像センサで代用することも可能である。かかる場合は、ステレオ撮影の前に行われるプレ照射で得られた放射線画像を利用することができる。該放射線画像に対して、様々な画像処理アルゴリズムを適用することで適当な関心領域を導出し、その関心領域の数、位置及び大きさに基づいて、放射線源３０の照射制御を行うことができる。
【符号の説明】
【０１０４】
２０…マンモグラフィ装置            ２２…基台
２４…回転軸                        ２６…アーム部材
２７…被検体                        ２８…乳房
２９…胸壁                          ３０…放射線源
３２…放射線源収納部                ３６…撮影台
３８…圧迫板                        ４２…表示操作部
６０…固体検出器                    ６４…ＡＥＣセンサ
７４…照射スイッチ                  ７６…駆動制御部
８０…測定位置選択部                ８２…照射時間算出部
８４…線源制御部                    ８６…第１の照射線量制御部
８８…高電圧発生器                  ９０…管電圧調整器
９２…陰極                          ９４…ターゲット
９６…フィルタ                      ９８…撮影条件記憶部
１００…上限値算出部                １０２…撮影条件設定部
１０４…第２の照射線量制御部        １０６…放射線画像形成部
１０８…表示部                      １１０…生検針駆動制御部
１１２…圧迫板駆動制御部            １１４…検出器制御部
１１６…画像情報記憶部              １２０…生検部位選択部
１２２…生検部位位置情報算出部      １２４…移動量算出部
１３２…ラジオボタンスイッチ
１３４、１３６、１３８、１４０、１４２…欄
１５０、１５２、１５４、１５６、１５８、１６０、１６２、１６４、１６６…設定欄
【図１】
2010234003.tif 000003
【図２】
2010234003.tif 000004
【図３】
2010234003.tif 000005
【図４】
2010234003.tif 000006
【図５】
2010234003.tif 000007
【図６】
2010234003.tif 000008
【図７】
2010234003.tif 000009
【図８】
2010234003.tif 000010
【図９】
2010234003.tif 000011
【図１０】
2010234003.tif 000012
【図１１】
2010234003.tif 000013